(57)【特許請求の範囲】
【請求項１】
順次走査している第１の種類の映像信号もしくは飛び越し走査している第２の種類の映像信号のいずれかからなる主映像信号と、前記主映像信号のフレーム毎に前記主映像信号が前記第１の種類の映像信号であるか前記第２の種類の映像信号であるかを示す判別フラグとが多重され記録された記録情報から前記主映像信号を再生する映像信号再生装置であって、前記記録情報から前記判別フラグを抽出する判別フラグ抽出回路と、前記判別フラグが前記主映像信号が前記第１の種類の映像信号であることを示している場合に繰り返し出力されるべきフィールドを示すタイミング信号を出力するタイミング信号発生回路と、前記判別フラグが前記主映像信号が前記第１の種類の映像信号であることを示している場合には前記タイミング信号発生回路出力に応じて前記主映像信号を毎秒６０フィールドの飛び越し走査映像信号に変換し出力し、前記判別フラグが前記主映像信号が前記第２の種類の映像信号であることを示している場合には前記主映像信号をそのまま出力する飛び越し走査映像信号再生回路と、前記主映像信号が第１の種類の映像信号の場合には、主映像信号の各フレームを再合成し一定周期で繰り返し出力する事により順次走査信号を得、前記主映像信号が第２の種類の映像信号の場合には、主映像信号の同一フィールド内の近傍の映像信号情報もしくは近傍フィールドの映像信号情報を元に補間走査信号を生成し、元のフィールド信号の各走査線間に該補間走査信号を補間することにより順次走査信号を得る順次走査変換回路とを備えたことを特徴とする映像信号再生装置。
【請求項２】
順次走査変換回路は判別フラグ抽出回路出力に応じて挿入走査信号の発生方法を変えることを特徴とする請求項１記載の映像信号再生装置。
【請求項３】
順次走査変換回路はタイミング信号の有無に応じて挿入走査信号の発生方法を変えることを特徴とする請求項１記載の映像信号再生装置。
【請求項４】
順次走査している第１の種類の映像信号もしくは飛び越し走査している第２の種類の映像信号のいずれかからなる主映像信号と、前記主映像信号が前記第１の種類の映像であるときに、前記主映像信号のフレーム毎に前記主映像信号を毎秒６０フィールドの飛び越し走査映像信号に変換する際において繰り返し出力されるフィールドを示すタイミング信号とが多重され記録された記録情報から前記主映像信号を再生する映像信号再生装置であって、前記記録情報から前記タイミング信号を抽出するタイミング信号抽出回路と、前記タイミング信号の有無により前記主映像信号が前記第１の種類の映像信号か前記第２種類の映像信号かを判別する判別回路と、前記判別回路が前記主映像が前記第１の種類の映像信号であると判別した場合には前記主映像信号を前記タイミング信号に応じて毎秒６０フィールドの飛び越し走査映像信号に変換し出力し、前記判別回路が前記主映像信号が前記第２の種類の映像信号であると判別した場合には前記主映像信号をそのまま出力する飛び越し走査映像信号再生回路と、前記主映像信号が第１の種類の映像信号の場合には、主映像信号の各フレームを再合成し一定周期で繰り返し出力する事により順次走査信号を得、前記主映像信号が第２の種類の映像信号の場合には、主映像信号の同一フィールド内の近傍の映像信号情報もしくは近傍フィールドの映像信号情報を元に補間走査信号を生成し、元のフィールド信号の各走査線間に該補間走査信号を補間することにより順次走査信号を得る順次走査変換回路とを備えたことを特徴とする映像信号再生装置。
【請求項５】
順次走査変換回路は判別回路出力に応じて挿入走査信号の発生方法を変えることを特徴とする請求項４記載の映像信号再生装置。
【請求項６】
順次走査変換回路はタイミング信号の有無に応じて挿入走査信号の発生方法を変えることを特徴とする請求項４記載の映像信号再生装置。
【請求項７】
順次走査している第１の種類の映像信号もしくは飛び越し走査している第２の種類の映像信号のいずれかからなる主映像信号と、前記主映像信号のフレーム毎に前記主映像信号が前記第１の種類の映像信号であるか前記第２の種類の映像信号であるかを示す判別フラグと、前期主映像信号が前記第１の種類の映像信号であるときに、前記主映像信号のフレーム毎に前記主映像信号を毎秒６０フィールドの飛び越し走査映像信号に変換する際において繰り返し出力されるフィールドを示すタイミング信号とが多重され記録された記録情報から前記主映像信号を再生する映像信号再生装置であって、前記記録情報から前記判別フラグを抽出する判別フラグ抽出回路と、前記記録情報から前記タイミング信号を抽出するタイミング信号抽出回路と、前記判別フラグが前記主映像信号が前記第１の種類の映像信号であることを示している場合には前記タイミング信号に応じて前記主映像信号を毎秒６０フィールドの飛び越し走査映像信号に変換し出力し、前記判別フラグが前記主映像信号が前記第２の種類の映像信号であることを示している場合には前記主映像信号をそのまま出力する飛び越し走査映像信号再生回路と、前記主映像信号が第１の種類の映像信号の場合には、主映像信号の各フレームを再合成し一定周期で繰り返し出力する事により順次走査信号を得、前記主映像信号が第２の種類の映像信号の場合には、主映像信号の同一フィールド内の近傍の映像信号情報もしくは近傍フィールドの映像信号情報を元に補間走査信号を生成し、元のフィールド信号の各走査線間に該補間走査信号を補間することにより順次走査信号を得る順次走査変換回路とを備えたことを特徴とする映像信号再生装置。
【請求項８】
順次走査変換回路は判別フラグ抽出回路出力に応じて挿入走査信号の発生方法を変えることを特徴とする請求項７記載の映像信号再生装置。
【請求項９】
順次走査変換回路はタイミング信号の有無に応じて挿入走査信号の発生方法を変えることを特徴とする請求項７記載の映像信号再生装置。
【請求項１０】
順次走査変換回路は、主映像信号が第１の種類の映像信号の場合に、タイミング信号により主映像信号のフレームの切れ目を検出し、フレーム毎に入力飛び越し走査映像信号のフィールド信号を２フィールド分を合成して一定周期で繰り返し出力する事により順次走査信号に変換することを特徴とする請求項１〜請求項９のいずれか記載の映像信号再生装置。
【請求項１１】
記録情報は情報記録媒体にあらかじめ記録された情報であることを特徴とする請求項１〜請求項１０のいずれか記載の映像信号再生装置。
【請求項１２】
記録情報は無線もしくは有線回線によって転送された情報であることを特徴とする請求項１〜請求項１１のいずれか記載の映像信号再生装置。
【発明の詳細な説明】
【０００１】
【発明の属する技術分野】
本発明はＤＶＤや衛星放送など、映画素材やビデオ素材等様々な映像情報を転送して映像信号を順次走査再生する為の映像信号再生装置に関する。
【０００２】
【従来の技術】
従来、ＤＶＤや衛星放送等の映像出力はテレビ受像器で再生出来るよう飛び越し走査で出力されるのが普通であるが、近年、マルチスキャン対応のモニタやプロジェクタ、またはコンピュータ用モニタ等の普及に伴ってこれらの飛び越し走査映像信号を順次走査信号に変換する映像信号再生装置が導入されつつある。
【０００３】
図１７は従来の映像信号再生装置の構成を示すブロック図である。図１７において、１はディスクで、フィルム素材映像を電気的信号に変換した映像信号もしくはビデオ信号を素材とする映像信号のいずれかからなる主映像信号が、予め記録に適した信号形態に符号化され、変調されて記録されている。２はピックアップで、ディスク１に記録された信号を電気的信号に変換する。３はディスク回転装置で、ディスク１を再生に適した回転数で回転させる。４は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力電気的信号が出力される。８は映像入力端子で、これより飛び越し走査映像信号が入力される。９はＡ／Ｄコンバータで、入力された飛び越し走査映像信号をディジタル映像信号に変換する。１０は映像種類判別回路で、入力された飛び越し走査映像信号が、元々フィルム素材の映像信号か、元々ビデオ素材の映像信号かを判別する。１１は第２のメモリーで、２フィールド分の映像信号を記憶できる能力を持ち、映像種類判別回路１０の判別動作に用いられる。１２は順次走査変換回路で、Ａ／Ｄコンバータ９の出力を順次走査映像信号に変換し出力する。１３は第３のメモリーで、１フィールド分の映像信号を記憶できる能力を持ち、順次走査変換回路１２の動作に用いられる。１４はＤ／Ａコンバータで、順次走査変換回路１２の出力をアナログ値に変換し出力する。１５は順次走査映像出力端子で、これより映像表示装置（図示せず）に順次走査映像信号が出力される。
【０００４】
以上の様に構成された従来の映像信号再生装置について、さらにその動作を説明する。
【０００５】
図１８は映像信号再生装置の飛び越し走査映像信号と順次走査映像信号を示す模式図である。飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。順次走査映像信号では１フレームが１／６０秒で縦画素数は４８０である。
【０００６】
このように両走査映像信号とも垂直周波数は１／６０秒であり、水平走査線数は飛び越し走査映像信号に比べ順次走査映像信号は倍になるので、水平走査周波数は飛び越し走査映像信号が約１５．７５ＫＨｚであるのに対して、順次走査映像信号では約３１．５ＫＨｚになる。
【０００７】
図１９は従来の映像信号再生装置のディスク１に記録される映像信号の構造を示す模式図である。図１９に示す様に、ディスク１に記録される映像信号には２つの形態がある。即ち、図１９（ａ）はフィルム素材の場合を示し、この場合には、元となる素材は毎秒２４コマの絵で構成されるフィルム画像であり、各コマ毎に横７２０ドット、縦４８０ドットの画像として圧縮されディスク１に記録されている。図１９（ｂ）はビデオ素材画像の場合であり、この場合には元となる素材は毎秒３０フレーム／６０フィールドの飛び越し走査画像である。各フレームは横７２０ドット、縦４８０ドットの画像であるが飛び越し走査されるので、各フィールドでは横７２０ドット、縦２４０ドットの画像になり、圧縮されディスク１に記録される。
【０００８】
以上の様に記録されたディスク１の信号をピックアップ２が電気的信号に変換し、飛び越し走査映像信号再生回路４が再生する。
【０００９】
図２０は従来の映像信号再生装置のフィルム素材ディスクにおける再生信号を示す模式図である。
【００１０】
ディスク１に記録された映像信号の素材がフィルムである場合には図２０（ａ）に示す様に、記録情報として毎秒２４コマの横７２０ドット、縦４８０ドットの画像が記録されている。コマ番号が・・・・、ｎ、ｎ＋１、ｎ＋２、ｎ＋３、・・・・の順で記録されている。このように記録されたフィルム素材信号を飛び越し走査映像信号再生回路４は飛び越し走査の映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、同時に飛び越し走査映像信号再生回路４は毎秒２４コマの映像を毎秒３０フレーム／６０フィールドの飛び越し走査映像に変換して出力する。飛び越し走査映像信号再生回路４は図２０（ｂ）に示す飛び越し走査再生映像信号の様に、同図（ａ）の記録情報の各コマをｏｄｄとｅｖｅｎの２つの飛び越し走査フィールド画像に分け、更に、1コマ毎に先頭のフィールドを最後のフィールドの後に繰り返して表示すことにより、毎秒２４コマのフィルム映像を毎秒３０フレーム／６０フィールドの飛び越し走査映像に変換して出力する。この操作を一般にテレシネ変換と称している。第１のメモリー５は、飛び越し走査映像信号再生回路４が映像を再生する際のバッファメモリーとして働く。
【００１１】
この様にして再生された飛び越し走査再生映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたフィルム素材映像を鑑賞することができる。
【００１２】
更に、映像入力端子８より入力されたＮＴＳＣ標準ビデオ信号は、Ａ／Ｄコンバータ９に入力されディジタル信号に変換され、映像種類判別回路１０と順次走査変換回路１２に入力される。映像種類判別回路１０では入力される映像信号の素材がフィルム素材であるのかビデオ素材であるのかが判別される。即ち、入力される映像信号がフィルムからビデオに変換されたものであるならば、元々１コマ毎に先頭のフィールドを最後のフィールドの後に繰り返して出力されているので、５フィールドに１回全く同じフィールドが出現することになる。従って、映像種類判別回路１０は第２のメモリー１１を用いて、図２０（ｃ）に示す第２のメモリー出力の様に、入力されたディジタル化された映像信号を２フィールドだけ遅延させ、第２のメモリー１１の出力と入力された映像信号の一致を検出する。この一致検出は図２０（ｄ）のフィールド比較情報に示されるものであり、このように５フィールド毎に”１”になる。従って、映像種類判別回路１０はこのフィールド比較情報が５フィールド毎に変化するのを検出した場合に、この映像信号の素材はフィルムであると判別する。
【００１３】
順次走査変換回路１２は映像種類判別回路１０より入力されるフィールド比較情報と種類判別信号とから、フィルム素材の順次走査映像変換を行う。即ちフィルム素材の場合には各素材のコマ毎に、元々横７２０ドット、縦４８０ドットの画像が横７２０ドット、縦２４０ドットの２つのフィールドに分割されているので、これを再度合成すれば良い。この時、コマの切り替わりのタイミング信号が必要となるので、図２０に示す様に、フィールド比較情報（同図（ｄ））と垂直同期信号（同図（ｅ））から、２フィールド、３フィールドの繰り返しのコマ切り替わりタイミング信号を順次走査変換回路１２は内部で発生し、それによって入力されるディジタル映像信号の素材となったフィルム信号のコマの切り替わりタイミングを検出する。このコマ切り替わりタイミング信号（同図（ｆ））に応じて、順次走査変換回路１２は、図２０（ｇ）に示す順次走査変換回路入力の先頭フィールドを第３のメモリー１３に格納した後、第２フィールドを第３のメモリー１３に格納し、両者の情報を１ライン毎に交互に倍速で読み出すことにより、図２０（ｈ）に示す順次走査変換回路出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたフィルム素材映像を鑑賞することができる。
【００１４】
図２１は従来の映像信号再生装置のビデオ素材ディスクにおける、再生信号を示す模式図である。
【００１５】
ディスク１に記録された映像信号の素材がフィルムである場合には図２１（ａ）に示す様に、記録情報として毎秒３０フレーム／６０フィールドの飛び越し走査画像で、各フィールドは横７２０ドット、縦２４０ドットの画像が記録されている。フレーム番号が・・・・、ｍ、ｍ＋１、ｍ＋２、ｍ＋３、ｍ＋４、・・・・の順で記録されている。このように記録されたビデオ素材信号を飛び越し走査映像信号再生回路４はそのまま図２１（ｂ）に示す飛び越し走査再生映像信号として出力する。第１のメモリー５は、飛び越し走査映像信号再生回路４が画像を再生する際のバッファメモリーとして働く。
【００１６】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたビデオ素材映像を鑑賞することができる。
【００１７】
更に、映像入力端子８より入力されたＮＴＳＣ標準ビデオ信号は、Ａ／Ｄコンバータ９で、ディジタル信号に変換され、映像種類判別回路１０と順次走査変換回路１２に入力される。映像種類判別回路１０では入力される映像信号の素材がフィルム素材であるのかビデオ素材であるのかが判別される。即ち、前述したように入力される映像信号がフィルムからビデオに変換されたものであるならば、元々１コマ毎に先頭のフィールドを最後のフィールドの後に繰り返して出力されているので、５フィールドに１回全く同じフィールドが出現することになる。従って、映像種類判別回路１０は第２のメモリー１１を用いて、図２１（ｃ）に示す第２のメモリー出力の様に、入力されたディジタル化された映像信号を２フィールドだけ遅延させ、第２のメモリー１１の出力と入力された映像信号の一致を検出する。一致検出は図２１（ｄ）のフィールド比較情報に示されるものであり、ビデオ素材映像信号の場合にはこのように５フィールド毎に”１”にならない。従って、映像種類判別回路１０はフィールド比較情報が５フィールド毎に、変化するのを検出できない場合に、この映像信号の素材はビデオであると判別する。
【００１８】
順次走査変換回路１２は、ディジタル映像信号の順次走査映像変換を行う。即ちビデオ素材の場合にはフィールド映像情報とその前に位置するフィールドの２つのフィールド情報を用いて順次走査映像信号を生成する。この時、前のフィールドとの間での動きが小さい画素に関しては前のフィールドのデータを用いて縦補間し、前のフィールドとの間での動きが大きい画素に関しては同一フィールド内の上下の画素データにより縦補間データを生成することにより順次走査映像変換を行う。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたビデオ素材映像を鑑賞することができる。
【００１９】
【発明が解決しようとする課題】
しかしながら、従来の映像信号再生装置においては、一度飛び越し走査映像信号に変換された映像信号を元に２フィールド分のメモリーを用いて、メモリーに蓄えられたフィールド内容と映像種類判別回路の入力の一致を検出することによって、素材信号がフィルムであるのかビデオであるのかを判別し順次変換処理を切り替えるために、低価格な映像信号再生装置が提供できないという問題点を持っており、またアナログ映像信号を再度ディジタル映像に変換して素材信号がフィルムであるのかビデオであるのかを判別するために、ノイズの混入等の原因により安定度を十分高くできないという問題点を持っていた。このため、安価で、高安定度な順次変換処理のできる映像信号再生装置の導入が要求されている。
【００２０】
本発明は、テレシネ変換された映像信号の周期性、即ち、現フィールドと２フィールド前のフィールド相関性を用いることなく素材信号がフィルムであるかビデオであるかを判別することにより、安価で高安定度な順次変換処理のできる映像信号再生装置の提供を目的とする。
【００２１】
【発明を解決するための手段】
この課題を解決するために本発明の映像信号再生装置は、フィルム素材を飛び越し走査映像信号に変換する際に発生するフィールドリピート信号や主映像信号の種類を判別する判別フラグを用いて、素材信号がフィルムであるかビデオであるかを判別するように構成したものである。
【００２２】
これにより、テレシネ変換された映像信号の周期性、即ち、現フィールドと２フィールド前のフィールド相関性を用いることなく素材信号がフィルムであるかビデオであるかを判別することにより、２フィールド分のメモリーが不要になり、かつノイズ混入等による素材信号の判別の安定性劣化のない、安価で高安定度な順次変換処理のできる映像信号再生装置の提供を目的とする。
【００２６】
【発明の実施の形態】
請求項１に記載の発明は、順次走査している第１の種類の映像信号もしくは飛び越し走査している第２の種類の映像信号のいずれかからなる主映像信号と、主映像信号のフレーム毎に主映像信号が第１の種類の映像信号であるか第２の種類の映像信号であるかを示す判別フラグとが多重され記録された記録情報から主映像信号を再生する映像信号再生装置であって、記録情報から判別フラグを抽出する判別フラグ抽出回路と、判別フラグが主映像信号が第１の種類の映像信号であることを示している場合に繰り返し出力されるべきフィールドを示すタイミング信号を出力するタイミング信号発生回路と、判別フラグが主映像信号が第１の種類の映像信号であることを示している場合にはタイミング信号発生回路出力に応じて主映像信号を毎秒６０フィールドの飛び越し走査映像信号に変換し出力し、判別フラグが主映像信号が第２の種類の映像信号であることを示している場合には主映像信号をそのまま出力する飛び越し走査映像信号再生回路と、主映像信号が第１の種類の映像信号の場合には、主映像信号の各フレームを再合成し一定周期で繰り返し出力する事により順次走査信号を得、主映像信号が第２の種類の映像信号の場合には、主映像信号の同一フィールド内の近傍の映像信号情報もしくは近傍フィールドの映像信号情報を元に補間走査信号を生成し、元のフィールド信号の各走査線間に該補間走査信号を補間することにより順次走査信号を得る順次走査変換回路とを備えたことを特徴とする映像信号再生装置であって、２フィールド分のメモリーが不要で、かつ一度アナログに変換された映像信号を使うことなく映像信号の素材を判別して順次走査変換するために、安価で高安定度な順次変換処理のできる映像信号再生装置を提供する。
【００２７】
請求項２に記載の発明は、順次走査変換回路は判別フラグ抽出回路出力に応じて挿入走査信号の発生方法を変えることを特徴とするものであって、判別フラグにより主映像信号の種類を判別し、挿入信号の発生方法を切り替えることにより、安価で、高安定度な順次変換処理のできる映像信号再生装置を提供する。
【００２８】
請求項３に記載の発明は、順次走査変換回路はタイミング信号の有無に応じて挿入走査信号の発生方法を変えることを特徴とするものであって、タイミング信号の有無によって主映像信号の種類を判別し、挿入信号の発生方法を切り替えることにより、安価で、高安定度な順次変換処理のできる映像信号再生装置を提供する。
【００２９】
請求項４に記載の発明は、順次走査している第１の種類の映像信号もしくは飛び越し走査している第２の種類の映像信号のいずれかからなる主映像信号と、主映像信号が前記第１の種類の映像であるときに、主映像信号のフレーム毎に主映像信号を毎秒６０フィールドの飛び越し走査映像信号に変換する際において繰り返し出力されるフィールドを示すタイミング信号とが多重され記録された記録情報から前記主映像信号を再生する映像信号再生装置であって、記録情報からタイミング信号を抽出するタイミング信号抽出回路と、タイミング信号の有無により主映像信号が第１の種類の映像信号か第２種類の映像信号かを判別する判別回路と、判別回路が主映像が第１の種類の映像信号であると判別した場合には主映像信号をタイミング信号に応じて毎秒６０フィールドの飛び越し走査映像信号に変換し出力し、判別回路が主映像信号が第２の種類の映像信号であると判別した場合には主映像信号をそのまま出力する飛び越し走査映像信号再生回路と、主映像信号が第１の種類の映像信号の場合には、主映像信号の各フレームを再合成し一定周期で繰り返し出力する事により順次走査信号を得、主映像信号が第２の種類の映像信号の場合には、主映像信号の同一フィールド内の近傍の映像信号情報もしくは近傍フィールドの映像信号情報を元に補間走査信号を生成し、元のフィールド信号の各走査線間に該補間走査信号を補間することにより順次走査信号を得る順次走査変換回路とを備えたことを特徴とする映像信号再生装置であって、２フィールド分のメモリーが不要で、かつ一度アナログに変換された映像信号を使うことなく映像信号の素材を判別して順次走査変換するために、安価で高安定度な順次変換処理のできる映像信号再生装置を提供する。
【００３０】
請求項５に記載の発明は、順次走査変換回路は判別回路出力に応じて挿入走査信号の発生方法を変えることを特徴とするものであって、判別回路出力により主映像信号の種類を判別し、挿入信号の発生方法を切り替えることにより、安価で、高安定度な順次変換処理のできる映像信号再生装置を提供する。
【００３１】
請求項６に記載の発明は、順次走査変換回路はタイミング信号の有無に応じて挿入走査信号の発生方法を変えることを特徴とするものであって、タイミング信号の有無によって主映像信号の種類を判別し、挿入信号の発生方法を切り替えることにより、安価で、高安定度な順次変換処理のできる映像信号再生装置を提供する。
【００３２】
請求項７記載の発明は、順次走査している第１の種類の映像信号もしくは飛び越し走査している第２の種類の映像信号のいずれかからなる主映像信号と、主映像信号のフレーム毎に主映像信号が第１の種類の映像信号であるか第２の種類の映像信号であるかを示す判別フラグと、主映像信号が第１の種類の映像信号であるときに、主映像信号のフレーム毎に主映像信号を毎秒６０フィールドの飛び越し走査映像信号に変換する際において繰り返し出力されるフィールドを示すタイミング信号とが多重され記録された記録情報から主映像信号を再生する映像信号再生装置であって、記録情報から判別フラグを抽出する判別フラグ抽出回路と、記録情報からタイミング信号を抽出するタイミング信号抽出回路と、判別フラグが主映像信号が第１の種類の映像信号であることを示している場合にはタイミング信号に応じて主映像信号を毎秒６０フィールドの飛び越し走査映像信号に変換し出力し、判別フラグが主映像信号が前記第２の種類の映像信号であることを示している場合には主映像信号をそのまま出力する飛び越し走査映像信号再生回路と、主映像信号が第１の種類の映像信号の場合には、主映像信号の各フレームを再合成し一定周期で繰り返し出力する事により順次走査信号を得、主映像信号が第２の種類の映像信号の場合には、主映像信号の同一フィールド内の近傍の映像信号情報もしくは近傍フィールドの映像信号情報を元に補間走査信号を生成し、元のフィールド信号の各走査線間に該補間走査信号を補間することにより順次走査信号を得る順次走査変換回路とを備えたことを特徴とする映像信号再生装置であって、２フィールド分のメモリーが不要で、かつ一度アナログに変換された映像信号を使うことなく映像信号の素材を判別して順次走査変換するために、安価で高安定度な順次変換処理のできる映像信号再生装置を提供する。
【００３３】
請求項８に記載の発明は、順次走査変換回路は判別フラグ抽出回路出力に応じて挿入走査信号の発生方法を変えることを特徴とするものであって、判別回路出力により主映像信号の種類を判別し、挿入信号の発生方法を切り替えることにより、安価で、高安定度な順次変換処理のできる映像信号再生装置を提供する。
【００３４】
請求項９に記載の発明は、順次走査変換回路はタイミング信号の有無に応じて挿入走査信号の発生方法を変えることを特徴とするものである。
【００３５】
請求項１０に記載の発明は、順次走査変換回路は、主映像信号が第１の種類の映像信号の場合に、タイミング信号により主映像信号のフレームの切れ目を検出し、フレーム毎に入力飛び越し走査映像信号のフィールド信号を２フィールド分を合成して一定周期で繰り返し出力する事により順次走査信号に変換することを特徴とするものであって、安価で、高安定度な順次変換処理のできる映像信号再生装置を提供する。
【００３６】
請求項１１に記載の発明は、順次走査変換回路は、主映像信号が第２の種類の映像信号の場合に、入力飛び越し走査映像信号の同一フィールド内の近傍の映像信号情報もしくは近傍フィールドの映像信号情報を元に走査信号を生成し、元のフィールド信号の各走査線間に補間することにより順次走査信号に変換することを特徴とするものであって、安価で、高安定度な順次変換処理のできる映像信号再生装置を提供する。
【００３７】
請求項１１に記載の発明は、記録情報は情報記録媒体にあらかじめ記録された情報であることを特徴とするものであって、安価で高安定度な順次変換処理のできる映像信号再生装置を提供する。
【００３８】
請求項１２に記載の発明は、記録情報は無線あるいは有線回線によって転送された情報であることを特徴とするものあって、安価で高安定度な順次変換処理のできる映像信号再生装置を提供する。
【００３９】
以下、本発明の実施の形態について、図１〜図１６を用いて説明する。
（実施の形態１）
図１は本発明の実施の形態１の映像信号再生装置の構成を示すブロック図である。図１において、１はディスクで、フィルム素材映像を電気的信号に変換した映像信号もしくはビデオ信号を素材とする映像信号のいずれかからなる主映像信号が、予め記録に適した信号形態に符号化され、変調されて記録されている。２はピックアップで、ディスク１に記録された信号を電気的信号に変換する。３はディスク回転装置で、ディスク１を再生に適した回転数で回転させる。２０は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力が出力される。２１は判別回路で、飛び越し走査映像信号再生回路２０の出力より、ディスク１に記録された主映像信号の種類を判別する。２２はフィールドリピート信号発生回路で、主映像信号がフィルム素材の場合に、飛び越し走査映像信号再生回路２０が主映像信号を飛び越し走査映像信号に変換する際のフィールドリピート信号を発生する。２３は順次走査変換回路で、飛び越し走査映像信号再生回路２０の出力を順次走査映像信号に変換し出力する。１３は第３のメモリーで、１フィールド分の映像信号を記憶できる能力を持ち、順次走査変換回路２３の動作に用いられる。１４はＤ／Ａコンバータで、順次走査変換回路２３の出力をアナログ値に変換し出力する。１５は順次走査映像出力端子で、これより映像表示装置（図示せず）に順次走査映像信号が出力される。
【００４０】
以上の様に構成された本発明の実施の形態１の映像信号再生装置についてさらにその動作を説明する。
【００４１】
図２は本発明の実施の形態１のディスク１に記録される映像信号の構造を示す模式図で、従来の技術の欄で図１９を使って説明したものと同様なものである。図２に示す様に、ディスク１に記録される映像信号には２つの形態がある。即ち、図２に示す（ａ）はフィルム素材であり、この場合には、元となる素材は毎秒２４コマの絵で構成されるフィルム画像であり、各コマ毎に横７２０ドット、縦４８０ドットの画像として圧縮されディスク１に記録されている。図２に示す（ｂ）はビデオ素材画像であり、この場合には元となる素材は毎秒３０フレーム／６０フィールドの飛び越し走査画像である。各フレームは横７２０ドット、縦４８０ドットの画像であるが飛び越し走査されるので、各フィールドでは横７２０ドット、縦２４０ドットの画像になり、圧縮されディスク１に記録される。
【００４２】
まず、フィルム素材ディスクの再生の場合を図面を用いて説明する。図３は本発明の実施の形態１のフィルム素材ディスクにおける再生信号を示す模式図である。
【００４３】
ディスク１に記録された映像信号の素材がフィルムである場合には図３に示す様に、記録情報として毎秒２４コマの横７２０ドット、縦４８０ドットの画像が記録されている。飛び越し走査映像信号再生回路２０は、ピックアップ２の出力よりディスク１に記録されている信号を読みとり、その主映像信号のフレーム周期を抽出し判別回路２１へ出力する。判別回路２１は飛び越し走査映像信号再生回路２０より入力される主映像信号のフレーム周期信号より主映像信号の種類を判別する。即ち、主映像信号がフィルム素材である場合にはフレーム周期は毎秒２４フレームになり、主映像信号がビデオ素材である場合にはフレーム周期は毎秒３０フレームになる。この違いを検出し、判別信号として、飛び越し走査映像信号再生回路２０とフィールドリピート信号発生回路２２に出力する。判別回路２１の出力により、飛び越し走査映像信号再生回路２０はディスク１に記録されている主映像信号がフィルム素材であることを認識する。図３（ａ）に示す様にディスク１にはフィルム素材映像がコマ番号が・・・・、ｎ、ｎ＋１、ｎ＋２、ｎ＋３、・・・・の順で記録されている。このように記録されたフィルム素材信号を飛び越し走査映像信号再生回路２０は飛び越し走査に映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、同時に飛び越し走査映像信号再生回路２０は毎秒２４コマの映像を毎秒３０フレーム／６０フィールドの飛び越し走査映像に変換して出力する。飛び越し走査映像信号再生回路２０は図３（ｂ）の飛び越し走査再生映像信号に示す様に、記録情報の各コマをｏｄｄとｅｖｅｎの２つの飛び越し走査フィールド画像に分け、更に、フィールドリピート信号発生回路２２が出力する５フィールド毎に繰り返すフィールドリピート信号（同図（ｃ））に応じて、１コマ毎に先頭のフィールドを最後のフィールドの後に繰り返して表示することにより、毎秒２４コマのフィルム映像を毎秒３０フレーム／６０フィールドの飛び越し走査画像に変換して出力する。第１のメモリー５は、飛び越し走査映像信号再生回路２０が画像を再生する際のバッファメモリーとして働く。飛び越し走査映像信号再生回路２０は、この様にして生成した飛び越し走査映像信号のコマの区切りを図３（ｄ）に示す様に、コマ切り替わりタイミング信号として、順次走査変換回路２３に出力する。
【００４４】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたフィルム素材映像を鑑賞することができる。
【００４５】
更に、飛び越し走査映像信号再生回路２０は、飛び越し映像信号を順次走査変換回路２３に入力する。順次走査変換回路２３はフィールドリピート信号発生回路２２のフィールドリピート信号出力の有無により、入力されたディジタル映像信号がフィルム素材であることを認識する。即ち前述したように、主映像がフィルム素材である時にはフィールドリピート信号発生回路２２が出力するフィールドリピート信号が図３（ｃ）に示す様に、５フィールド周期で変化するので、その変化を検出し、主映像がフィルム素材であるとして順次走査映像変換を行う。フィルム素材の場合には各素材のコマ毎に、元々横７２０ドット、縦４８０ドットの画像が横７２０ドット、縦２４０ドットの２つのフィールドに分割されているので、これを再度合成すれば良い。従って、順次走査変換回路２３は図３（ｄ）に示すコマ切り替わりタイミング信号により、入力されるディジタル映像信号の素材となったフィルム信号のコマの切り替わりタイミングを検出することができる。このコマ切り替わりタイミング信号に応じて、順次走査変換回路２３は、図３（ｅ）に示す順次走査変換回路入力の先頭フィールドを第３のメモリーに格納した後、第２フィールドを第３のメモリー１３に格納し、両者の情報を１ライン毎に倍速で読み出すことにより、図３（ｆ）に示す順次走査変換回路出力を得る。変換された映像信号はＤ／Ａコンバータ１４でアナログ信号に変換され、順次走査映像信号出力端子１５から出力される。順次走査映像出力端子１５には順次走査映像信号用テレビモニター（図示せず）が接続され、使用者はそれにより順次走査映像にもどされたフィルム素材映像を鑑賞することができる。
【００４６】
次に、ビデオ素材ディスクの再生の場合を、図面を用いて説明する。図４は、本発明の実施の形態１のビデオ素材ディスクにおける再生信号を示す模式図である。
【００４７】
ディスク１に記録された映像信号の素材がビデオである場合には図４に示す様に、記録情報として毎秒３０フレーム／６０フィールドの飛び越し走査画像で、各フィールドは横７２０ドット、縦２４０ドットの画像が記録されている。飛び越し走査映像信号再生回路２０は、ピックアップ２の出力よりディスク１に記録されている信号を読みとり、その主映像信号のフレーム周期を抽出し判別回路２１へ出力する。判別回路２１は飛び越し走査映像信号再生回路２０より入力される主映像信号のフレーム周期信号より主映像信号がビデオ素材であることを検出し、判別信号として、飛び越し走査映像信号再生回路２０とフィールドリピート信号発生回路２２に出力する。図４（ａ）に示す様にディスク１にはビデオ素材映像がフレーム番号が・・・・、ｍ、ｍ＋１、ｍ＋２、ｍ＋３、ｍ＋４、・・・・の順で記録されている。このように記録されたビデオ素材信号を飛び越し走査映像信号再生回路２０は、図４（ｂ）に示す様にそのまま飛び越し走査再生映像信号として出力する。第１のメモリー５は、飛び越し走査映像信号再生回路２０が画像を再生する際のバッファメモリーとして働く。
【００４８】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたビデオ素材映像を鑑賞することができる。
【００４９】
更に、飛び越し走査映像信号再生回路２０は、飛び越し映像信号を順次走査変換回路２３に入力する。順次走査変換回路２３はフィールドリピート信号発生回路２２のフィールドリピート信号出力の有無により。入力されたディジタル映像信号がビデオ素材であることを認識する。即ち、主映像がビデオ素材である時にはフィールドリピート信号発生回路２２が出力するフィールドリピート信号が図４（ｃ）に示す様に、５フィールド周期で変化しないので、それを検出し、主映像がビデオ素材であるとして順次走査映像変換を行う。即ちビデオ素材の場合にはフィールド映像情報とその前に位置するフィールドの２つのフィールド情報を用いて順次走査映像信号を生成する。この時、順次走査変換回路２３は図４（ｅ）に示す順次走査変換回路入力の前のフィールドとの間での動きが小さい画素に関して前のフィールドのデータも用いて縦補間し、前のフィールドとの間での動きが大きい画素に関しては同一フィールド内の上下の画素データにより縦補間データを生成することにより図４（ｆ）に示す順次走査変換回路出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたビデオ素材映像を鑑賞することができる。
【００５０】
（実施の形態２）
図５は本発明の実施の形態２の映像信号再生装置の構成を示すブロック図である。図５において、１はディスクで、フィルム素材映像を電気的信号に変換した映像信号もしくはビデオ信号を素材とする映像信号のいずれかからなる主映像信号と主映像信号がフィルム素材であるのかビデオ素材であるのかを示す判別フラグとが、予め記録に適した信号形態に符号化され、変調されて記録されている。２はピックアップで、ディスク１に記録された信号を電気的信号に変換する。３はディスク回転装置で、ディスク１を再生に適した回転数で回転させる。３０は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力が出力される。３１は判別回路で、ピックアップ２の出力より、ディスク１に記録された主映像信号の種類を判別する。２２はフィールドリピート信号発生回路で、主映像信号がフィルム素材の場合に、飛び越し走査映像信号再生回路３０が主映像信号を飛び越し走査映像信号に変換する際のフィールドリピート信号を発生する。３３は順次走査変換回路で、飛び越し走査映像信号再生回路３０の出力を順次走査映像信号に変換し出力する。１３は第３のメモリーで、１フィールド分の映像信号を記憶できる能力を持ち、順次走査変換回路３３の動作に用いられる。１４はＤ／Ａコンバータで、順次走査変換回路３３の出力をアナログ値に変換し出力する。１５は順次走査映像出力端子で、これより映像表示装置（図示せず）に順次走査映像信号が出力される。
【００５１】
以上の様に構成された本発明の実施の形態２の映像信号再生装置についてさらにその動作を説明する。
【００５２】
図６は本発明の実施の形態２のディスク１に記録される映像信号の構造を示す模式図である。実施の形態１の欄で図２でも説明したが、図６に示す様に、ディスク１に記録される映像信号には２つの形態がある。即ち、図６（ａ）はフィルム素材の形態であり、この場合には、元となる素材は毎秒２４コマの絵で構成されるフィルム画像であり、各コマ毎に横７２０ドット、縦４８０ドットの画像として、判別フラグ（＝１）と共に、圧縮されディスク１に記録されている。図６（ｂ）はビデオ素材画像の形態であり、この場合には元となる素材は毎秒３０フレーム／６０フィールドの飛び越し走査画像である。各フレームは横７２０ドット、縦４８０ドットの画像であるが飛び越し走査されるので、各フィールドでは横７２０ドット、縦２４０ドットの画像になり、判別フラグ（＝０）と共に、圧縮されディスク１に記録される。実施の形態１の場合とは、ディスク１に記録され、素材を示す判別フラグを利用しているところが異なる。
【００５３】
まず、フィルム素材ディスクの再生の場合を図面を用いて説明する。図７は本発明の実施の形態２のフィルム素材ディスクにおける再生信号を示す模式図である。
【００５４】
ディスク１に記録された映像信号の素材がフィルムである場合には図７に示す様に、記録情報として毎秒２４コマの横７２０ドット、縦４８０ドットの画像が記録されている。判別回路３１はピックアップ２より入力される信号よりディスク１に記録されている判別フラグを読みとり、飛び越し走査映像信号再生回路３０とフィールドリピート信号発生回路２２に出力する。判別回路３１の出力により、飛び越し走査映像信号再生回路３０はディスク１に記録されている主映像信号がフィルム素材であることを認識する。図７（ａ）に示す様にディスク１にはフィルム素材映像がコマ番号が・・・・、ｎ、ｎ＋１、ｎ＋２、ｎ＋３、・・・・の順で記録されている。このように記録されたフィルム素材信号を飛び越し走査映像信号再生回路３０は飛び越し走査に映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、同時に飛び越し走査映像信号再生回路３０は毎秒２４コマの映像を毎秒３０フレーム／６０フィールドの飛び越し走査映像に変換して出力する。飛び越し走査映像信号再生回路３０は図７（ｂ）の飛び越し走査再生映像信号に示す様に、記録情報の各コマをｏｄｄとｅｖｅｎの２つの飛び越し走査フィールド画像に分け、更に、図７（ｃ）が示すようにフィールドリピート信号発生回路２２が出力する５フィールド毎に繰り返すフィールドリピート信号に応じて、１コマ毎に先頭のフィールドを最後のフィールドの後に繰り返して表示することにより、毎秒２４コマのフィルム映像を毎秒３０フレーム／６０フィールドの飛び越し走査画像に変換して出力する。第１のメモリー５は、飛び越し走査映像信号再生回路３０が画像を再生する際のバッファメモリーとして働く。飛び越し走査映像信号再生回路３０は、この様にして生成した飛び越し走査映像信号のコマの区切りを図７（ｄ）に示す様に、コマ切り替わりタイミング信号として、順次走査変換回路３３に出力する。
【００５５】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたフィルム素材映像を鑑賞することができる。
【００５６】
更に、飛び越し走査映像信号再生回路３０は、飛び越し映像信号を順次走査変換回路３３に入力する。順次走査変換回路３３は判別回路３１の出力により、入力されたディジタル映像信号がフィルム素材であることを認識する。即ちフィルム素材の場合には各素材のコマ毎に、元々横７２０ドット、縦４８０ドットの画像が横７２０ドット、縦２４０ドットの２つのフィールドに分割されているので、これを再度合成すれば良い。順次走査変換回路３３は図７（ｄ）に示すコマ切り替わりタイミング信号により、入力されるディジタル映像信号の素材となったフィルム信号のコマの切り替わりタイミングを検出することができる。このコマ切り替わりタイミング信号に応じて、順次走査変換回路３３は、図７（ｅ）に示す順次走査変換回路入力の先頭フィールドを第３のメモリー１３に格納した後、第２フィールドを第３のメモリー１３に格納し、両者の情報を１ライン毎に倍速で読み出すことにより、図７（ｆ）に示す順次走査変換回路出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたフィルム素材映像を鑑賞することができる。
【００５７】
次に、ビデオ素材ディスクの再生の場合を、図面を用いて説明する。図８は、本発明の実施の形態２のビデオ素材ディスクにおける再生信号を表す模式図である。
【００５８】
ディスク１に記録された映像信号の素材がビデオである場合には図８に示す様に、記録情報として毎秒３０フレーム／６０フィールドの飛び越し走査画像で、各フィールドは横７２０ドット、縦２４０ドットの画像が記録されている。判別回路３１はピックアップ２より入力される信号よりディスク１に記録されている判別フラグを読みとり、飛び越し走査映像信号再生回路３０とフィールドリピート信号発生回路２２に出力する。判別回路３１の出力により、飛び越し走査映像信号再生回路３０はディスク１に記録されている主映像信号がビデオ素材であることを認識する。図８（ａ）に示す様にディスク１にはビデオ素材映像がフレーム番号が・・・・、ｍ、ｍ＋１、ｍ＋２、ｍ＋３、ｍ＋４、・・・・の順で記録されている。このように記録されたビデオ素材信号を飛び越し走査映像信号再生回路３０は、そのまま図８（ｂ）に示す飛び越し走査再生映像信号として出力する。第１のメモリー５は、飛び越し走査映像信号再生回路３０が画像を再生する際のバッファメモリーとして働く。
【００５９】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたビデオ素材映像を鑑賞することができる。
【００６０】
更に、飛び越し走査映像信号再生回路３０は、飛び越し映像信号を順次走査変換回路３３に入力する。順次走査変換回路３３は判別回路３１の出力により、ディスク１に記録されている主映像信号がビデオ素材であることを認識し、主映像がビデオ素材であるとして順次走査映像変換を行う。即ちビデオ素材の場合にはフィールド映像情報とその前に位置するフィールドの２つのフィールド情報を用いて順次走査映像信号を生成する。この時、順次走査変換回路３３は図８（ｅ）に示す順次走査変換回路入力の前のフィールドとの間での動きが小さい画素に関して前のフィールドのデータを用いて縦補間し、前のフィールドとの間での動きが大きい画素に関しては同一フィールド内の上下の画素データにより縦補間データを生成することにより図８（ｆ）に示す順次走査変換出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたビデオ素材映像を鑑賞することができる。
【００６１】
（実施の形態３）
図９は本発明の実施の形態３の映像信号再生装置の構成を示すブロック図である。図９において、１はディスクで、フィルム素材映像を電気的信号に変換した映像信号もしくはビデオ信号を素材とする映像信号のいずれかからなる主映像信号と主映像信号がフィルム素材である場合に、主映像信号を飛び越し走査映像信号に変換する際に、繰り返し出力されるフィールドのタイミングを示すフィールドリピート信号とが、予め記録に適した信号形態に符号化され、変調されて記録されている。２はピックアップで、ディスク１に記録された信号を電気的信号に変換する。３はディスク回転装置で、ディスク１を再生に適した回転数で回転させる。３０は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力が出力される。４１はフィールドリピート信号抽出回路で、ピックアップ２の出力より、ディスク１に記録されたフィールドリピート信号を抽出する。４２は判別回路で、フィールドリピート信号抽出回路４１の出力の変化によりディスク１に記録された主映像信号の種類を判別する。３３は順次走査変換回路で、飛び越し走査映像信号再生回路３０の出力を順次走査映像信号に変換し出力する。１３は第３のメモリーで、１フィールド分の映像信号を記憶できる能力を持ち、順次走査変換回路３３の動作に用いられる。１４はＤ／Ａコンバータで、順次走査変換回路３３の出力をアナログ値に変換し出力する。１５は順次走査映像出力端子で、これより図示されない映像表示装置に順次走査映像信号が出力される。
【００６２】
以上の様に構成された本発明の実施の形態３の映像信号再生装置についてさらにその動作を説明する。
【００６３】
図１０は本発明の実施の形態３のディスク１に記録される映像信号の構造を示す模式図である。図１０に示す様に、ディスク１に記録される映像信号には２つの形態がある。即ち、図１０（ａ）はフィルム素材の形態であり、この場合には、元となる素材は毎秒２４コマの絵で構成されるフィルム画像であり、各コマ毎に横７２０ドット、縦４８０ドットの画像として、フィールドリピート信号と共に、圧縮されディスク１に記録されている。図１０（ｂ）はビデオ素材画像の形態であり、この場合には元となる素材は毎秒３０フレーム／６０フィールドの飛び越し走査画像である。各フレームは横７２０ドット、縦４８０ドットの画像であるが飛び越し走査されるので、各フィールドでは横７２０ドット縦２４０ドットの画像になり、フィールドリピート信号（＝０）と共に、圧縮されディスク１に記録される。
【００６４】
まず、フィルム素材ディスクの再生の場合を、図面を用いて説明する。図１１は、本発明の実施の形態３のフィルム素材ディスクにおける再生信号を示す模式図である。
【００６５】
ディスク１に記録された映像信号の素材がフィルムである場合には図１１に示す様に、記録情報として毎秒２４コマの横７２０ドット、縦４８０ドットの画像とフィールドリピート信号とが記録されている。フィールドリピート信号抽出回路４１はピックアップ２より入力される信号よりディスク１に記録されているフィールドリピート信号を読みとり、飛び越し走査映像信号再生回路３０と判別回路４２に出力する。判別回路４２はフィールドリピート信号が５フィールド毎に変化することを検出し、ディスク１に記録されている主映像信号がフィルム素材であることを認識する。図１１（ａ）に示す様にディスク１にはフィルム素材映像がコマ番号が・・・・、ｎ、ｎ＋１、ｎ＋２、ｎ＋３、・・・・の順で記録されている。このように記録されたフィルム素材信号を飛び越し走査映像信号再生回路３０は飛び越し走査に映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、同時に飛び越し走査映像信号再生回路３０は毎秒２４コマの映像を毎秒３０フレーム／６０フィールドの飛び越し走査映像に変換して出力する。飛び越し走査映像信号再生回路３０は図１１（ｂ）の飛び越し走査再生映像信号に示す様に、記録情報の各コマをｏｄｄとｅｖｅｎの２つの飛び越し走査フィールド画像に分け、更に、フィールドリピート信号抽出回路４１が出力する５フィールド毎に繰り返すフィールドリピート信号（同図（ｃ））に応じて、１コマ毎に先頭のフィールドを最後のフィールドの後に繰り返して表示することにより、毎秒２４コマのフィルム映像を毎秒３０フレーム／６０フィールドの飛び越し走査画像に変換して出力する。第１のメモリー５は、飛び越し走査映像信号再生回路３０が画像を再生する際のバッファメモリーとして働く。飛び越し走査映像信号再生回路３０は、この様にして生成した飛び越し走査映像信号のコマの区切りを図１１（ｄ）に示す様に、コマ切り替わりタイミング信号として、順次走査変換回路３３に出力する。
【００６６】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたフィルム素材映像を鑑賞することができる。
【００６７】
更に、飛び越し走査映像信号再生回路３０は、飛び越し映像信号を順次走査変換回路３３に入力する。順次走査変換回路３３は判別回路４２の出力により、入力されたディジタル映像信号がフィルム素材であることを認識する。即ちフィルム素材の場合には各素材のコマ毎に、元々横７２０ドット、縦４８０ドットの画像が横７２０ドット、縦２４０ドットの２つのフィールドに分割されているので、これを再度合成すれば良い。順次走査変換回路３３は、図１１（ｄ）に示すコマ切り替わりタイミング信号により、入力されるディジタル映像信号の素材となったフィルム信号のコマの切り替わりタイミングを検出することができる。このコマ切り替わりタイミング信号に応じて、順次走査変換回路３３は、図１１（ｅ）に示す順次走査変換回路入力の先頭フィールドを第３のメモリー１３に格納した後、第２フィールドを第３のメモリー１３に格納し、両者の情報を１ライン毎に倍速で読み出すことにより、図１１（ｆ）に示す順次走査変換回路出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたフィルム素材映像を鑑賞することができる。
【００６８】
次に、ビデオ素材ディスクの再生の場合を、図面を用いて説明する。図１２は本発明の実施の形態３のビデオ素材ディスクにおける再生信号を示す模式図である。
【００６９】
ディスク１に記録された映像信号の素材がビデオである場合には図１２に示す様に、記録情報として毎秒３０フレーム／６０フィールドの飛び越し走査画像で、各フィールドは横７２０ドット、縦２４０ドットの画像が記録されている。判別回路４２はフィールドリピート信号が５フィールド毎に変化しないことを検出し、ディスク１に記録されている主映像信号がビデオ素材であることを認識する。判別回路４２の出力により、飛び越し走査再生回路３０はディスク１に記録されている主映像信号がビデオ素材であることを認識する。図１２（ａ）に示す様にディスク１にはビデオ素材映像がフレーム番号が・・・・、ｍ、ｍ＋１、ｍ＋２、ｍ＋３、ｍ＋４、・・・・の順で記録されている。このように記録されたビデオ素材信号を飛び越し走査映像信号再生回路２０は、そのまま図１２（ｂ）の飛び越し走査再生映像信号として出力する。第１のメモリー５は、飛び越し走査映像信号再生回路２０が画像を再生する際のバッファメモリーとして働く。
【００７０】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたビデオ素材映像を鑑賞することができる。
【００７１】
更に、飛び越し走査映像信号再生回路３０は、飛び越し映像信号を順次走査変換回路３３に入力する。順次走査変換回路３３は判別回路４２の出力により、ディスク１に記録されている主映像信号がビデオ素材であることを認識し、主映像がビデオ素材であるとして順次走査映像変換を行う。即ちビデオ素材の場合にはフィールド映像情報とその前に位置するフィールドの２つのフィールド情報を用いて順次走査映像信号を生成する。この時、順次走査変換回路３３は図１２（ｅ）の順次走査変換回路入力の前のフィールドとの間での動きが小さい画素に関して前のフィールドのデータも用いて縦補間し、前のフィールドとの間での動きが大きい画素に関しては同一フィールド内の上下の画素データにより縦補間データを生成することにより図１２（ｆ）に示す順次走査映像変換出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたビデオ素材映像を鑑賞することができる。
【００７２】
（実施の形態４）
図１３は本発明の実施の形態４の映像信号再生装置の構成を示すブロック図である。図１３において、１はディスクで、フィルム素材映像を電気的信号に変換した映像信号もしくはビデオ信号を素材とする映像信号のいずれかからなる主映像信号と、主映像信号がフィルム素材であるのかビデオ素材であるのかを示す判別フラグと、主映像信号がフィルム素材である場合に、主映像信号を飛び越し走査映像信号に変換する際に、繰り返し出力されるフィールドのタイミングを示すフィールドリピート信号とが、予め記録に適した信号形態に符号化され、変調されて記録されている。２はピックアップで、ディスク１に記録された信号を電気的信号に変換する。３はディスク回転装置で、ディスク１を再生に適した回転数で回転させる。３０は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力が出力される。３１は判別回路で、ピックアップ２の出力より、ディスク１に記録された主映像信号の種類を判別する。４１はフィールドリピート信号抽出回路で、ピックアップ２の出力より、ディスク１に記録されたフィールドリピート信号を抽出する。３３は順次走査変換回路で、飛び越し走査映像信号再生回路３０の出力を順次走査映像信号に変換し出力する。１３は第３のメモリーで、１フィールド分の映像信号を記憶できる能力を持ち、順次走査変換回路３３の動作に用いられる。１４はＤ／Ａコンバータで、順次走査変換回路３３の出力をアナログ値に変換し出力する。１５は順次走査映像出力端子で、これより図示されない映像表示装置に順次走査映像信号が出力される。
【００７３】
以上の様に構成された本発明の実施の形態４の映像信号再生装置についてさらにその動作を説明する。
【００７４】
図１４は本発明の実施の形態４のディスク１に記録される映像信号の構造を示す模式図である。図１４に示す様に、ディスク１に記録される映像信号には２つの形態がある。即ち、図１４（ａ）はフィルム素材の形態であり、この場合には、基となる素材は毎秒２４コマの絵で構成されるフィルム画像であり、各コマ毎に横７２０ドット、縦４８０ドットの画像としてフィールドリピート信号、判別フラグ（＝１）と共に、圧縮されディスク１に記録されている。図１４（ｂ）はビデオ素材画像の形態であり、この場合には基となる素材は毎秒３０フレーム／６０フィールドの飛び越し走査画像である。各フレームは横７２０ドット、縦４８０ドットの画像であるが飛び越し走査されるので、各フィールドでは横７２０ドット縦２４０ドットの画像になり、フィールドリピート信号（＝０）、判別フラグ（＝０）と共に、圧縮されディスク１に記録される。
【００７５】
まず、フィルム素材ディスクの再生の場合を、図面を用いて説明する。図１５は本発明の実施の形態４のフィルム素材ディスクにおける再生信号を示す模式図である。
【００７６】
ディスク１に記録された映像信号の素材がフィルムである場合には図１５に示す様に、記録情報として毎秒２４コマの横７２０ドット、縦４８０ドットの画像とフィールドリピート信号が判別フラグ（＝１）と共に記録されている。フィールドリピート信号抽出回路４１はピックアップ２より入力される信号よりディスク１に記録されているフィールドリピート信号を読みとり、飛び越し走査映像信号再生回路３０に出力する。判別回路３１はピックアップ２より入力される信号よりディスク１に記録されている判別フラグを読みとり、飛び越し走査映像信号再生回路３０に出力する。判別回路３１の出力により、飛び越し走査映像信号再生回路３０はディスク１に記録されている主映像信号がフィルム素材であることを認識する。図１５（ａ）に示す様にディスク１にはフィルム素材映像がコマ番号が・・・・、ｎ、ｎ＋１、ｎ＋２、ｎ＋３、・・・・の順で記録されている。このように記録されたフィルム素材信号を飛び越し走査映像信号再生回路３０は飛び越し走査に映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、同時に飛び越し走査映像信号再生回路３０は毎秒２４コマの映像を毎秒３０フレーム／６０フィールドの飛び越し走査映像に変換して出力する。飛び越し走査映像信号再生回路３０は図１５（ｂ）の飛び越し走査再生映像信号に示す様に、記録情報の各コマをｏｄｄとｅｖｅｎの２つの飛び越し走査フィールド画像に分け、更に、フィールドリピート信号抽出回路４１が出力する５フィールド毎に繰り返すフィールドリピート信号（同図（ｃ））に応じて、１コマ毎に先頭のフィールドを最後のフィールドの後に繰り返して表示することにより、毎秒２４コマのフィルム映像を毎秒３０フレーム／６０フィールドの飛び越し走査画像に変換して出力する。第１のメモリー５は、飛び越し走査映像信号再生回路３０が画像を再生する際のバッファメモリーとして働く。飛び越し走査映像信号再生回路３０は、この様にして生成した飛び越し走査映像信号のコマの区切りを図１５（ｄ）に示す様に、コマ切り替わりタイミング信号として、順次走査変換回路３３に出力する。
【００７７】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたフィルム素材映像を鑑賞することができる。
【００７８】
更に、飛び越し走査映像信号再生回路３０は、飛び越し映像信号を順次走査変換回路３３に入力する。順次走査変換回路３３は判別回路３１の出力により、入力されたディジタル映像信号がフィルム素材であることを認識する。即ちフィルム素材の場合には各素材のコマ毎に、元々横７２０ドット、縦４８０ドットの画像が横７２０ドット、縦２４０ドットの２つのフィールドに分割されているので、これを再度合成すれば良い。順次走査変換回路３３は図１５（ｄ）に示されるコマ切り替わりタイミング信号により、入力されるディジタル映像信号の素材となったフィルム信号のコマの切り替わりタイミングを検出することができる。このコマ切り替わりタイミング信号に応じて、順次走査変換回路３３は、図１５（ｅ）に示す順次走査変換回路入力の先頭フィールドを第３のメモリー１３に格納した後、第２フィールドを第３のメモリー１３に格納し、両者の情報を１ライン毎に倍速で読み出すことにより、図１５（ｆ）に示す順次走査変換回路出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたフィルム素材映像を鑑賞することができる。
【００７９】
次に、ビデオ素材ディスクの再生の場合を、図面を用いて説明する。図１６は本発明の実施の形態４のビデオ素材ディスクにおける再生信号を示す模式図である。
【００８０】
ディスク１に記録された映像信号の素材がビデオである場合には図１６に示す様に、記録情報として毎秒３０フレーム／６０フィールドの飛び越し走査画像で、各フィールドは横７２０ドット、縦２４０ドットの画像とフィールドリピート信号（＝０）が判別フラグ（＝１）と共に記録されている。判別回路３１はピックアップ２より入力される信号よりディスク１に記録されている判別フラグを読みとり、ディスク１に記録されている主映像信号がビデオ素材であることを認識する。判別回路３１の出力により、飛び越し走査映像信号再生回路３０はディスク１に記録されている主映像信号がビデオ素材であることを認識する。図１６（ａ）に示す様にディスク１にはビデオ素材映像がフレーム番号が・・・・、ｍ、ｍ＋１、ｍ＋２、ｍ＋３、ｍ＋４、・・・・の順で記録されている。このように記録されたビデオ素材信号を飛び越し走査映像信号再生回路３０は、そのまま図１６（ｂ）に示す飛び越し走査再生映像信号として出力する。第１のメモリー５は、飛び越し走査映像信号再生回路３０が画像を再生する際のバッファメモリーとして働く。
【００８１】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたビデオ素材映像を鑑賞することができる。
【００８２】
更に、飛び越し走査映像信号再生回路３０は、飛び越し映像信号を順次走査変換回路３３に入力する。順次走査変換回路３３は判別回路３１の出力により、ディスク１に記録されている主映像信号がビデオ素材であることを認識し、主映像がビデオ素材であるとして順次走査映像変換を行う。即ちビデオ素材の場合にはフィールド映像情報とその前に位置するフィールドの２つのフィールド情報を用いて順次走査映像信号を生成する。この時、順次走査変換回路３３は図１６（ｅ）に示す順次走査変換回路入力の前のフィールドとの間での動きが小さい画素に関して前のフィールドのデータも用いて縦補間し、前のフィールドとの間での動きが大きい画素に関しては同一フィールド内の上下の画素データにより縦補間データを生成することにより図１６（ｆ）に示す順次走査変換回路出力を得る。変換された映像信号はＤ／Ａコンバータ１４でアナログ信号に変換され、順次走査映像出力端子１５から出力される。順次走査映像出力端子１５には順次走査映像信号用テレビモニター（図示せず）が接続され、使用者はそれにより順次走査映像にもどされたビデオ素材映像を鑑賞することができる。
【００８３】
なお、上述した全ての実施の形態では、情報記録再生装置を録再型ディスク装置で構成した例で説明したが、その他の記録再生装置例えばテープ装置についても同様に実施可能である。
【００８４】
また、映像信号から、あるいは映像信号とともに多重転送された判別フラグ等からその素材の形態を判別しているので、ディスク、テープ等の記録媒体にフィルム素材画像、ビデオ素材画像が混在したものを再生しても、あるいは衛星放送で両素材画像が混在したものを受信しても、何ら問題なく順次走査再生でき、飛び越し走査、順次走査の各映像信号が出力できることは言うまでもない。
【００８５】
【発明の効果】
以上のように本発明によれば、テレシネ変換された映像信号の周期性、即ち、現フィールドと２フィールド前のフィールド相関性を用いることなく素材信号がフィルムであるかビデオであるかを判別することにより、２フィールド分のメモリーが不要になり、かつノイズ混入等による素材信号の判別の安定性劣化のない、安価で高安定度な順次変換処理のできる映像信号再生装置が得られる。
【図面の簡単な説明】
【図１】本発明の実施の形態１の映像信号再生装置の構成を示すブロック図
【図２】同、ディスク１に記録される映像信号の構造を示す模式図
【図３】同、フィルム素材ディスクにおける再生信号を示す模式図
【図４】同、ビデオ素材ディスクにおける再生信号を示す模式図
【図５】本発明の実施の形態２の映像信号再生装置の構成を示すブロック図
【図６】同、ディスク１に記録される映像信号の構造を示す模式図
【図７】同、フィルム素材ディスクにおける再生信号を示す模式図
【図８】同、ビデオ素材ディスクにおける再生信号を示す模式図
【図９】本発明の実施の形態３の映像信号再生装置の構成を示すブロック図
【図１０】同、ディスク１に記録される映像信号の構造を示す模式図
【図１１】同、フィルム素材ディスクにおける再生信号を示す模式図
【図１２】同、ビデオ素材ディスクにおける再生信号を示す模式図
【図１３】本発明の実施の形態４の映像信号再生装置の構成を示すブロック図
【図１４】同、ディスク１に記録される映像信号の構造を示す模式図
【図１５】同、フィルム素材ディスクにおける再生信号を示す模式図
【図１６】同、ビデオ素材ディスクにおける再生信号を示す模式図
【図１７】従来の映像信号再生装置の構成を示すブロック図
【図１８】飛び越し走査映像信号と順次走査映像信号を示す模式図
【図１９】従来の映像信号再生装置のディスク１に記録される映像信号の構造を示す模式図
【図２０】同、フィルム素材ディスクにおける再生信号を示す模式図
【図２１】同、ビデオ素材ディスクにおける再生信号を示す模式図
【符号の説明】
１  ディスク
２  ピックアップ
３  ディスク回転装置
４  飛び越し走査映像信号再生回路
５  第１のメモリー
６  ＮＴＳＣエンコーダ
７  飛び越し走査映像出力端子
８  映像入力端子
９  Ａ／Ｄコンバータ
１０  映像種類判別回路
１１  第２のメモリー
１２  順次走査変換回路
１３  第３のメモリー
１４  Ｄ／Ａコンバータ
１５  順次走査映像出力端子
２０  飛び越し走査映像信号再生回路
２１  判別回路
２２  フィールドリピート信号発生回路
２３  順次走査変換回路
３０  飛び越し走査映像信号再生回路
３１  判別回路
３３  順次走査変換回路
４１  フィールドリピート信号抽出回路
４２  判別回路
【図１】
0003646495.tif 000002
【図２】
0003646495.tif 000003
【図３】
0003646495.tif 000004
【図４】
0003646495.tif 000005
【図５】
0003646495.tif 000006
【図６】
0003646495.tif 000007
【図７】
0003646495.tif 000008
【図８】
0003646495.tif 000009
【図９】
0003646495.tif 000010
【図１０】
0003646495.tif 000011
【図１１】
0003646495.tif 000012
【図１２】
0003646495.tif 000013
【図１３】
0003646495.tif 000014
【図１４】
0003646495.tif 000015
【図１５】
0003646495.tif 000016
【図１６】
0003646495.tif 000017
【図１７】
0003646495.tif 000018
【図１８】
0003646495.tif 000019
【図１９】
0003646495.tif 000020
【図２０】
0003646495.tif 000021
【図２１】
0003646495.tif 000022